(57)【要約】【課題】振動または往復直線運動を発生することができるマッサージ器を提供する。【解決手段】円筒状ハウジング１の両端にキャップ２を設けてハウジングを封止し、ハウジングの軸方向にマッサージアダプタ１４を設けた軸３をキャップを貫通して若干延長して設ける。絶縁部材４内に導電端子５を設け、その底部を電機子軸６と連結する。軸本体の中央箇所の周囲にボイスコイル７、スライド溝８、ボイスコイル電機子９、ボイスコイル電機子絶縁部材１０、円弧形ヨーク１１を設ける。ハウジング内の上、中、下に複数の円弧形Ｎ、Ｓ極磁石１２を配置する。電流が両方の電機子軸からボイスコイルに伝わると、該コイルを通過する電流と円弧形Ｎ、Ｓ極磁石との間に磁界が発生し、相互に作用してボイスコイルに軸向きの推進力を生じ、電流方向の変化に応じてコイル中心の軸３に上下運動が生じ、マッサージ効果を発揮する。【選択図】  図  ３
0003110492.tif 000002
【実用新案登録請求の範囲】
【請求項１】
振動又は往復直線運動により動作するマッサージ器であって、
円筒状ハウジングを具え、両端をキャップで封止したハウジングの軸方向に該両キャップを貫通してマッサージ用アダプタを設けた軸を延長して設けると共に、両端のキャップの絶縁部材に設けた導電端子を介して電気的に接続された電機子軸を設け、
該軸本体の中央箇所の外周を囲むボイスコイル及びこれと一体のコイルを設けて固定すると共にボイスコイル本体内に上、下に相通する数個のスライド溝を設けてその内側にボイスコイル電機子絶縁部材を具えるボイスコイル電機子を設け、
上記電機子軸に対してボイスコイルが上下方向に滑動可能なように電機子軸を該スライド溝に挿通して配置すると共に、
上記電気子軸表面に２組の電極接点を設けて、これら2組の電極接点から該ボイスコイル電気子に対して動通する電流がボイスコイルの上下動作により切り替わるようにし、
さらに該ボイスコイル両端に円弧形ヨークを設けると共に該ハウジングの内壁面の上、中、下にそれぞれ円弧形N、S極永久磁石を複数個配置して、この上、中、下の各列の円弧形N、S極磁石を相対して作用するようにして、
電流が該電機子軸を経てコイルに流れ、上記コイルを導通する電流と円弧形N、S極磁石との間に磁界が発生することによりコイルに軸方向の推進力を生じて上下動を生じさせ、それに伴う上記の電流方向の変化に応じてコイル中心の軸に連続上下運動を生じさせてマッサージ作用を行なう、
ことを特徴とするマッサージ器。
【考案の詳細な説明】
【技術分野】
【０００１】
本考案はマッサージ器に関し、特に振動または往復直線運動を生じることができる装置に関し、人体の健康促進と身体筋肉のリラックス効果を発揮する。
【背景技術】
【０００２】
公知のマッサージ器はマッサージヘッド、ボディ及び内部の連結部材などから構成し、それらはマッサージヘッドの部分を振動させてマッサージするが、以下の欠点がある。
ａ．マッサージヘッドは振動しか発生することができない。
ｂ．振動周波数は一定に固定されている。
ｃ．マッサージヘッドは上、下の往復運動ができない。
ｄ．公知のマッサージヘッドの振動は、機械連動式によるため損壊し易い。
ｅ．故障しやすいため補修費が発生し、使用者のコスト負担が増加する。
以上の欠点のため公知のマッサージ器は使用上制限があり、消費者の購買意欲が大きく低減し、産業の発展に影響する。
【特許文献１】特許３４４６５５０号公報
【考案の開示】
【考案が解決しようとする課題】
【０００３】
公知の欠点を排除し、振動または往復直線運動を発生することができるマッサージ器を提供することを課題とする。
【課題を解決するための手段】
【０００４】
図１、図２、図３及び図４に示すように、本考案のマッサージ器は、円形柱状のハウジング１を具え、両端にキャップ２を設けてハウジング１を封止し、ハウジング１の軸方向中心に軸３を設けてキャップ２を貫通して若干延長し、軸３の両端に更にマッサージ用アダプタ１４を連結する。軸３に近いハウジング１と二つのキャップ２との間に絶縁部材４を設け、この絶縁部材４内に端子となる導電端子５を設け、導電端子５の底部は電機子軸６と連結する。軸３本体の中央箇所の周囲を巡ってボイスコイル７及びコイル１３を設けて固定し、ボイスコイル７本体内に複数の上下方向のスライド溝８を形成し、スライド溝８内側にボイスコイル電機子絶縁部材１０を具えるボイスコイル電機子９を設けると共に、表面に２組の電極接点を備えた電機子軸６を上下方向に滑動可能に挿通して、ボイスコイルの上下動によりこれらボイスコイル電気子と電極接点が切り替わるようにし、さらに該ボイスコイル７は両端に円弧形ヨーク１１を形成する。
ハウジング１の内壁面の上、中、下に複数の円弧形の永久磁石であるＮ、Ｓ極磁石１２をそれぞれ配置し、上、中、下各列の円弧形Ｎ、Ｓ極磁石１２を対応させて配置することによって作用させ、円弧形ヨーク１１と円弧形Ｎ、Ｓ極磁石１２の間にコイル１３を巡らせて設ける。
【０００５】
電流が２組の電極に通電されて電機子軸６からボイスコイル７と一体になったコイル１３に伝わると、コイル１３を通過する電流と円弧形Ｎ、Ｓ極磁石１２との間に磁界が発生し、相互に作用してコイルに軸方向の推進力を生じ、電気子軸表面に設けた２組の電極接点がコイルの上下動に伴って切り替わることによりコイルの電流方向が変化するため、コイル１３の中心となる軸３に上下運動が生じ、マッサージの目的を達成する。
【考案の効果】
【０００６】
本考案のマッサージ器は、振動または往復直線運動を生じることができ、人体の健康促進と身体筋肉のリラックス効果に適する。またワイヤを使用した往復運動ではないため部品類の急速な劣化の問題がなく、本考案の使用寿命が延長され、産業利用に適している。
【考案を実施するための最良の形態】
【０００７】
図１、図２、図３及び図４に示すように、本考案のマッサージ器を実施するとき、ハウジング１の両端にキャップ２を設けてハウジング１を封止し、ハウジング１の軸向きの中心に軸３を設け、両キャップ２を貫通して若干延長する。軸３本体の中央箇所の周囲にボイスコイル７を巡らせて設け、ボイスコイル電機子９、ボイスコイル電機子絶縁部材１０を設け、ボイスコイル電機子絶縁部材１０内に電機子軸６を収容する。ハウジング１の内壁面の上、中、下に複数の円弧形Ｎ、Ｓ極磁石をそれぞれ配置し、対応させて配置して作用するようにし、円弧形ヨーク１１と円弧形Ｎ、Ｓ極磁石１２の間にコイル１３を巡らせて設ける。電流が二つの導電する電機子軸６からコイル１３に伝わると、コイル１３を通過する電流と円弧形Ｎ、Ｓ極磁石１２との間に磁界が発生し、相互に作用してコイルに軸向きの推進力が発生し、電流方向が変化し続ける中でコイル１３を中心とする軸３に上下運動が発生して、マッサージの目的を達成する。
【図面の簡単な説明】
【０００８】
【図１】本考案の断面図である。
【図２】本考案のボイスコイルの図である。
【図３】本考案の上向きの動作の実施例である。
【図４】本考案の下向きの動作の実施例である。
【符号の説明】
【０００９】
１     ハウジング
２     キャップ
３     軸
４     絶縁部材
５     導電端子
６     電機子軸
７     ボイスコイル
８     スライド溝
９     ボイスコイル電機子
１０   ボイスコイル電機子絶縁部材
１１   円弧形ヨーク
１２   円弧形Ｎ、Ｓ極磁石
１３   コイル
１４   アダプタ
【図１】
0003110492.tif 000003
【図２】
0003110492.tif 000004
【図３】
0003110492.tif 000005
【図４】
0003110492.tif 000006